(57)【特許請求の範囲】
【請求項１】
一方端がモータのアース端子及び複数の入力端子に電気的に接続された複数の導体と、
絶縁材料によって形成され、前記複数の導体の他方端が前記モータの出力軸と交差する方向に隣接して配置されると共に前記モータが取り付けられた本体と、
を備え、
前記アース端子に電気的に接続される導体は、前記本体に配置された他の導体を覆う大きさを有する被覆部を有し、
前記被覆部が絶縁性を保ちながら前記他の導体を覆うように前記他の導体と異なる層に配置されるインシュレータ。
【請求項２】
前記アース端子に電気的に接続される導体は、前記被覆部が前記本体に配置された他の導体を前記モータと共に挟むように配置される、
請求項１に記載のインシュレータ。
【請求項３】
前記複数の導体の前記他方端が複数の電線と電気的に接続され、
前記複数の電線は、ツイストされて一体とされたツイスト部から前記複数の導体までの長さが、前記アース端子及び前記複数の入力端子に直接接続してツイストした場合のツイスト部から前記アース端子及び前記複数の入力端子までの長さよりも短い、
請求項１又は２に記載のインシュレータ。
【発明の詳細な説明】
【技術分野】
【０００１】
本発明は、モータに取り付けられるインシュレータに関する。
【背景技術】
【０００２】
従来の技術として、高速用電源入力端子と、低速用電源入力端子と、アース端子と、を有するワイパモータを備えたワイパ制御装置が知られている（例えば、特許文献１参照。）。
【先行技術文献】
【特許文献】
【０００３】
【特許文献１】特開平８−３１０３４９号公報
【発明の概要】
【発明が解決しようとする課題】
【０００４】
従来のワイパモータのように２つの入力端子とアース端子が設けられている場合、２つの入力端子は、一箇所に配置されるものの、アース端子は、異なる場所に配置されることがあり、この２つの入力端子とアース端子とに接続される電線をツイストすると、端子からツイストが始まるまでの距離が長くなって、放射ノイズが発生する問題がある。
【０００５】
従って、本発明の目的は、放射ノイズを抑制するインシュレータを提供することにある。
【課題を解決するための手段】
【０００６】
本発明の一態様は、一方端がモータのアース端子及び複数の入力端子に電気的に接続された複数の導体と、絶縁材料によって形成され、複数の導体の他方端がモータの出力軸と交差する方向に隣接して配置された本体と、を備えたインシュレータを提供する。
【発明の効果】
【０００７】
本発明によれば、放射ノイズを抑制することができる。
【図面の簡単な説明】
【０００８】
【図１】図１は、第１の実施の形態に係るインシュレータの一例を示す概略図である。
【図２】図２（ａ）は、第２の実施の形態に係るインシュレータの一例を示す概略図であり、図２（ｂ）は、インシュレータを側面から見た一例を示す概略図である。
【発明を実施するための形態】
【０００９】
（実施の形態の要約）
実施の形態に係るインシュレータは、一方端がモータのアース端子及び複数の入力端子に電気的に接続された複数の導体と、絶縁材料によって形成され、複数の導体の他方端がモータの出力軸と交差する方向に隣接して配置された本体と、を備えて概略構成されている。
【００１０】
このインシュレータは、モータのアース端子と入力端子に直接電線を接続してツイストする場合と比べて、他方端からツイストが始まるまでの長さが短くなるので、ツイストが始まるまでの電線から発生する放射ノイズが抑制される。
【００１１】
[第１の実施の形態]
（インシュレータ１の概要）
図１は、第１の実施の形態に係るインシュレータの一例を示す概略図である。図１に示すインシュレータ１は、モータ２が取り付けられた状態の一例を示している。なお、以下に記載する実施の形態に係る各図において、図形間の比率は、実際の比率とは異なる場合がある。
【００１２】
このインシュレータ１に取り付けられるモータ２は、一例として、車両に搭載され、ワイパ装置やミラー装置の駆動用のモータとして用いられる。本実施の形態のモータ２は、一例として、ミラー装置を駆動するモータであるものとする。このモータ２は、一例として、図１に示すように、入力端子２６及び入力端子２７と、アース端子２８と、を有している。
【００１３】
インシュレータ１は、図１に示すように、一方端がモータ２の入力端子２６、入力端子２７及びアース端子２８に電気的に接続された第１の導体１１〜第３の導体１３と、絶縁材料によって形成され、第１の導体１１〜第３の導体１３の他方端がモータ２の出力軸２５と交差する方向に隣接して配置された本体１０と、を備えて概略構成されている。
【００１４】
第１の導体１１〜第３の導体１３の一方端とは、端部１１０〜端部１３０である。また第１の導体１１〜第３の導体１３の他方端とは、端部１１１〜端部１３１である。
【００１５】
インシュレータ１は、図１に示すように、コネクタ４６を有するハーネス４が取り付けられている。このハーネス４は、コネクタ４６を介して車両のバッテリなどと電気的に接続される。
【００１６】
（本体１０の構成）
本体１０は、一例として、合成樹脂を用いて形成されている。本体１０は、図１の紙面裏側の面が配置面１０ａとなり、モータ２を取り付けられるように構成されている。このモータ２の取り付けは、一例として、配置面１０ａに設けられた保持部に取り付けることにより行われる。保持部は、例えば、モータ２を保持する爪などから構成される。
【００１７】
また本体１０の配置面１０ａは、さらに第１の導体１１〜第３の導体１３を取り付けられるように構成されている。なお変形例として本体１０は、例えば、インサート成形などによって第１の導体１１〜第３の導体１３を一体とするように形成されても良い。その際、一例として、本体１０の裏面１０ｂには、第１の導体１１の端部１１０、及び第２の導体１２の端部１２０が露出する開口が設けられる。端部１１０と入力端子２６、及び端部１２０と入力端子２７の接合は、この開口を介して行われる。また入力端子２６及び入力端子２７が端部１１０及び端部１２０を差し込む構成である場合、当該開口は形成されない。
【００１８】
（第１の導体１１〜第３の導体１３の構成）
第１の導体１１〜第３の導体１３は、一例として、断面が矩形状となる平角導体である。また第１の導体１１〜第３の導体１３は、一例として、銅などの導電性を有する金属板を打ち抜いて形成される。この第１の導体１１〜第３の導体１３の幅は、例えば、同じ幅である。
【００１９】
第１の導体１１の端部１１１〜第３の導体１３の端部１３１は、図１に示すように、本体１０の側面１０ｃに向かって隣接して並んでいる。この端部１１１〜端部１３１は、例えば、等間隔に並んでいる。その間隔は、例えば、導体の幅よりも狭い方が好ましい。そして端部１１１〜端部１３１は、例えば、本体１０から露出している。後述する第１の電線４１〜第３の電線４３は、端部１１１〜端部１３１に接続される。
【００２０】
第１の導体１１は、略直角に曲がる曲部１１２を有している。第１の導体１１は、接続されるモータ２の入力端子２６が側面１０ｃに最も近いため、第２の導体１２及び第３の導体１３と比べて、全長が最も短くなっている。なおモータ２の入力端子２６が端部１１０を差し込む構成である場合、端部１１０は、配置面１０ａの法線方向に曲げられている。
【００２１】
第２の導体１２は、略直角に曲がる曲部１２２を有している。第２の導体１２は、接続されるモータ２の入力端子２７が入力端子２６の次に側面１０ｃに近いため、全長が第１の導体１１より長く、第３の導体１３より短くなっている。なおモータ２の入力端子２７が端部１２０を差し込む構成である場合、端部１２０は、配置面１０ａの法線方向に曲げられている。
【００２２】
第３の導体１３は、略直角に曲がる曲部１３２を有している。第３の導体１３は、接続されるモータ２のアース端子２８が側面１０ｃから最も遠いため、第１の導体１１及び第２の導体１２と比べて、全長が最も長くなっている。アース端子２８は、図１に示すように、入力端子２６及び入力端子２７が配置された面２１ではなく、面２１に対して交差する方向の側面２２ａに配置されているので、端部１３０がアース端子２８と接合し易いように曲げられている。
【００２３】
（モータ２の構成）
モータ２は、一例として、直流モータである。このモータ２の本体２０は、一例として、入力端子２６及び入力端子２７が配置される面２１とその裏面とが平面であり、両面を接続する側面２２ａ及び側面２２ｂが曲面となっている。そしてモータ２は、一例として、入力端子２６に電源が供給されると正方向に回転し、入力端子２７に電源が供給されると正方向とは逆方向に回転するように構成されている。
【００２４】
モータ２は、図１に示すように、前面２３側に出力軸２５を有している。またモータ２は、後面２４側の面２１上に入力端子２６及び入力端子２７を有している。アース端子２８は、面２１とは異なる側面２２ｂに配置されている。
【００２５】
（ハーネス４の構成）
ハーネス４は、第１の電線４１〜第３の電線４３と、コネクタ４６と、を備えて概略構成されている。第１の電線４１〜第３の電線４３は、例えば、撚線であり、撚線の周囲が絶縁材料によって被覆されている。第１の電線４１〜第３の電線４３は、一方端がインシュレータ１を介してモータ２に電気的に接続され、他方端がコネクタ４６に電気的に接続されている。
【００２６】
第１の電線４１は、第１の導体１１の端部１１１に電気的に接続されている。従って第１の電線４１は、第１の導体１１を介して入力端子２６と電気的に接続されている。
【００２７】
第２の電線４２は、第２の導体１２の端部１２１に電気的に接続されている。従って第２の電線４２は、第２の導体１２を介して入力端子２７と電気的に接続されている。
【００２８】
第３の電線４３は、第３の導体１３の端部１３１に電気的に接続されている。従って第３の電線４３は、第３の導体１３を介してアース端子２８と電気的に接続されている。
【００２９】
第１の電線４１〜第３の電線４３は、図１に示すように、ツイストされて一体とされたツイスト部４５から第１の導体１１〜第３の導体１３までの長さが、入力端子２６、入力端子２７及びアース端子２８に直接接続してツイストした場合のツイスト部から入力端子２６、入力端子２７及びアース端子２８までの長さよりも短くなる。これは、入力端子２６、入力端子２７及びアース端子２８が離れているからである。
【００３０】
インシュレータ１は、図１に示すように、入力端子２６、入力端子２７及びアース端子２８が第１の導体１１〜第３の導体１３と電気的に接続されているため、第１の電線４１〜第３の電線４３を隣接して並ぶ端部１１１〜端部１３１に接続すれば良く、ツイスト部４５から端部１１１〜端部１３１までの非ツイスト部４４の長さが短くなる。この非ツイスト部４４とは、電線がツイストされていない部分である。
【００３１】
この非ツイスト部４４は、ツイスト部４５と比べて、モータ２を駆動する際の電流による放射ノイズが放出され易い。従って非ツイスト部４４が短い方が放射ノイズを抑制することができる。
【００３２】
（第１の実施の形態の効果）
本実施の形態に係るインシュレータ１は、放射ノイズを抑制することができる。具体的には、インシュレータ１は、アース端子と入力端子に直接電線を接続してツイストする場合と比べて、非ツイスト部４４の長さが短くなるので放射ノイズが抑制される。
【００３３】
インシュレータ１は、アース端子２８と接続される第３の導体１３が入力端子２６及び入力端子２７と接続される第１の導体１１及び第２の導体１２と並んで配置されているので、この構成を採用しない場合と比べて、放射ノイズの発生を抑制すると共に外来ノイズの影響を受け難い。
【００３４】
［第２の実施の形態］
第２の実施の形態は、アース端子に接続する第３の導体が他の導体を覆う点で第１の実施の形態と異なっている。
【００３５】
図２（ａ）は、第２の実施の形態に係るインシュレータの一例を示す概略図であり、図２（ｂ）は、インシュレータを側面から見た一例を示す概略図である。なお以下に記載する実施の形態において、第１の実施の形態と同じ機能及び構成を有する部分は、第１の実施の形態と同じ符号を付し、その説明は省略するものとする。
【００３６】
本実施の形態のインシュレータ１は、図２（ａ）に示すように、アース端子２８に電気的に接続される第３の導体１３ａが本体１０に配置された第１の導体１１及び第２の導体１２を覆う大きさを有する被覆部１３３を備えている。この被覆部１３３は、図２（ｂ）に示すように、絶縁性を保ちながら第１の導体１１及び第２の導体１２を覆うように第１の導体１１及び第２の導体１２と異なる層に配置されている。
【００３７】
なお被覆部１３３は、一例として、図２（ａ）の紙面において、第１の導体１１及び第２の導体１２を合わせた面積の７０％以上を覆うことが好ましく、８０％以上覆うことがより好ましい。
【００３８】
（第２の実施の形態の効果）
本実施の形態のインシュレータ１は、アース端子２８と接続された第３の導体１３が第１の導体１１及び第２の導体１２を覆うことによって外来ノイズ及び放射ノイズに対するシールドとなるので、この構成を採用しない場合と比べて、放射ノイズの発生を抑制すると共に外来ノイズの影響を受け難い。
【００３９】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００４０】
１…インシュレータ、２…モータ、４…ハーネス、１０…本体、１０ａ…配置面、１０ｂ…裏面、１０ｃ…側面、１１〜１３…第１の導体〜第３の導体、１３ａ…導体、２０…本体、２１…面、２２ａ…側面、２２ｂ…側面、２３…前面、２４…後面、２５…出力軸、２６…入力端子、２７…入力端子、２８…アース端子、４１〜４３…第１の電線〜第３の電線、４４…非ツイスト部、４５…ツイスト部、４６…コネクタ、１１０…端部、１１１…端部、１１２…曲部、１２０…端部、１２１…端部、１２２…曲部、１３０…端部、１３１…端部、１３２…曲部、１３３…被覆部
【図１】
0006334581.tif 000002
【図２】
0006334581.tif 000003